(57)【特許請求の範囲】
【請求項１】
中継サブフレーム配置に基づいて、中継リンクのダウンリンクサービス伝送とアップリンクフィードバック情報伝送との間のタイミング関係を確定し；
中継局が前記タイミング関係に基づいて前記アップリンクフィードバック情報を伝送するためのアップリンク中継サブフレームを確定し、前記アップリンク中継サブフレームを介して前記アップリンクフィードバック情報を伝送するステップを含み、
前記中継サブフレーム配置に基づいて、前記アップリンクフィードバック情報を伝送するためのタイミング関係を確定するステップが、
前記中継局が前記中継サブフレーム配置を取得し、取得した前記中継サブフレーム配置に基づいて、予め設定された前記中継サブフレーム配置と前記アップリンクフィードバック情報の伝送タイミング関係との対応関係、または、中継リンクのダウンリンクサービス伝送とアップリンクフィードバック情報伝送用のサブフレーム位置との間の対応関係から前記タイミング関係を確定し；又は、
基地局が前記中継サブフレーム配置に基づいて前記タイミング関係を確定して、前記タイミング関係を指示するための指示情報を前記中継局に送信するステップを含むことを特徴とする中継リンクのアップリンク肯定／否定フィードバック情報の伝送方法。
【請求項２】
前記指示情報が、前記アップリンク中継サブフレームのサブフレーム番号と、前記アップリンク中継サブフレームのオフセット量の中の少なくとも一つを含むことを特徴とする請求項１に記載の方法。
【請求項３】
前記基地局が前記中継局に前記タイミング関係を指示するための指示情報を送信するステップが、
前記基地局がダウンリンク中継サブフレームを介して前記中継局にサービスデータを送信し、前記サービスデータに対応するダウンリンク制御情報に前記タイミング関係を指示するための指示情報を含ませるステップを含むことを特徴とする請求項１に記載の方法。
【請求項４】
前記中継サブフレーム配置に基づいて、前記アップリンクフィードバック情報を伝送するためのタイミング関係を確定する前に、
前記中継サブフレーム配置の場合、中継リンクのアップリンクフィードバック情報の伝送を、ＴＤＤ  ＬＴＥ  Ｒｅｌｅａｓｅ  ８プロトコルに規定のＡＣＫ／ＮＡＣＫ情報のフィードバックタイミング関係に従って行うことが可能であるか否かを判定し；
可能であると、前記ＴＤＤ  ＬＴＥ  Ｒｅｌｅａｓｅ  ８プロトコルに規定のアップリンクフィードバック情報伝送のタイミング関係に従って前記アップリンクフィードバック情報を伝送し；
不可能であると、前記中継サブフレーム配置に基づいて前記アップリンクフィードバック情報を伝送するためのタイミング関係を確定する操作を行うステップを更に含むことを特徴とする請求項１ないし３の中のいずれかに記載の方法。
【請求項５】
前記中継局が前記アップリンク中継サブフレームを介して前記アップリンクフィードバック情報を伝送するステップが、
前記中継局が１アップリンク中継サブフレームにおいて複数のアップリンクフィードバック情報を伝送する場合、前記中継局がバンドルフィードバックモード又は多重化フィードバックモードに従って前記複数のアップリンクフィードバック情報を伝送するステップを含むことを特徴とする請求項１ないし３の中のいずれかに記載の方法。
【請求項６】
前記中継局が前記アップリンク中継サブフレームを介して前記アップリンクフィードバック情報を伝送するステップが、
特別サブフレームにおける一部のリソースが、基地局から前記中継局へのダウンリンクサービスの伝送用であると、前記中継局は前記特別サブフレームの後のアップリンク中継サブフレームを介して前記ダウンリンクサービスのアップリンクフィードバック情報を伝送するステップを含むことを特徴とする請求項１ないし３の中のいずれかに記載の方法。
【請求項７】
前記中継局が前記アップリンク中継サブフレームを介して前記アップリンクフィードバック情報を伝送するステップが、
特別サブフレームにおけるリソースのみを前記中継局から前記基地局への中継リンクのアップリンクデータの伝送用としていると、前記中継局が前記特別サブフレームを介して前記アップリンクフィードバック情報を伝送するステップを含むことを特徴とする請求項１ないし３の中のいずれかに記載の方法。
【請求項８】
中継サブフレーム配置に基づいて、中継リンクのダウンリンクサービス伝送とアップリンクフィードバック情報伝送との間のタイミング関係を確定する第１の確定ブロックと、
前記タイミング関係に基づいて、前記アップリンクフィードバック情報を伝送するためのアップリンク中継サブフレームを確定する第２の確定ブロックと、
前記アップリンク中継サブフレームを介して前記アップリンクフィードバック情報を伝送する伝送ブロックと、を含み、
第１の確定ブロックが、
前記中継サブフレーム配置を取得する取得サブブロックと、
取得した前記中継サブフレーム配置に基づいて、予め設定された、前記中継サブフレーム配置と前記アップリンクフィードバック情報の伝送タイミング関係との対応関係又は中継リンクのダウンリンクサービス伝送とアップリンクフィードバック情報伝送用のサブフレーム位置との対応関係からタイミング関係を確定する第１の確定サブブロックと、を含むことを特徴とする中継局。
【請求項９】
第１の確定ブロックが、基地局からのタイミング関係を指示するための指示情報を受信する受信サブブロックをさらに含むことを特徴とする請求項８に記載の中継局。
【請求項１０】
中継サブフレーム配置に基づいて中継リンクのダウンリンクサービス伝送とアップリンクフィードバック情報伝送との間のタイミング関係を確定する確定ブロックと、
前記タイミング関係を指示する指示情報を中継局に送信する送信ブロックと、を含むことを特徴とする基地局。
【請求項１１】
前記送信ブロックは、さらに、ダウンリンク中継サブフレームを介して前記中継局にサービスデータを送信し、前記サービスデータに対応するダウンリンク制御情報に前記タイミング関係を指示するための前記指示情報を含ませることを特徴とする請求項１０に記載の基地局。
【請求項１２】
前記タイミング関係に基づいて確定したアップリンク中継サブフレームにおいてアップリンクフィードバック情報を受信する受信ブロックをさらに含むことを特徴とする請求項１１に記載の基地局。
【発明の詳細な説明】
【技術分野】
【０００１】
本発明は、通信分野に関し、具体的に、中継リンクのアンプリンクフィードバック情報の伝送方法、中継局及び基地局に関する。
【背景技術】
【０００２】
現在、移動通信の発展要求は、より高い伝送速度、さらに完全な信号カバー率及びより高いリソース利用率を支援可能にすることである。高い伝送速度を実現するため、次世代移動通信システムは、より高い周波数の帯域幅を用いて信号を伝送し、これと共に、より高い周波数の帯域幅に伴い、より大きい通路損失（Ｐａｔｈ  Ｌｏｓｓ）をもたらし、ネットワークのカバーに影響を与えてしまう。中継（Ｒｅｌａｙ）技術によると、カバーの増加及び平衡を実現できると共に、セルスループットを増加させることができ、また、基地局に比べ、中継局の配置コストが低いので、中継技術は、長期進化（Ｌｏｎｇ  Ｔｅｒｍ  Ｅｖｏｌｕｔｉｏｎ、以下、ＬＴＥと略称）の進化システムである高級長期進化（ＬＴＥ−Ａｄｖａｎｃｅｄ、以下、ＬＴＥ−Ａ）システムにおけるキーポイントである。
【０００３】
時分割複信（Ｔｉｍｅ  Ｄｉｖｉｓｉｏｎ  Ｄｕａｌ、以下ＴＤＤと略称）のＬＴＥシステムにおいて、周波数リソースは時間上、フレームを単位として分けられる。図１ａは、関連技術によるＴＤＤシステムのフレーム構造を示す図である。図１ａに示すように、各無線フレームの長さは１０ミリ妙であって、長さが１ミリ秒であるサブフレームを１０個含み、その中、サブフレームは、アップリンクサブフレームと、ダウンリンクサブフレームと、特別サブフレームと、を含む。アップリンク／ダウンリンクサブフレームの比例の違いによって、ＴＤＤ  ＬＴＥシステムは、７種類のサブフレーム配置構造を有し、システムはセルにおけるアップリンク／ダウンリンクのサービス量等の情報に応じて柔軟に配置できる。具体的な７種類の配置構造は表１に示すとおりである。その中、Ｄはダウンリンクサブフレームを示し、Ｕはアップリンクサブフレームを示し、Ｓは特別サブフレームを示す。図１ｂは、関連技術によるＴＤＤシステムの特別サブフレームの構造を示す図である。図１ｂに示すように、Ｓサブフレームは、一部のダウンリンクパイロットタイムスロット（Ｄｏｗｎｌｉｎｋ  Ｐｉｌｏｔ  Ｔｉｍｅ  Ｓｌｏｔ、以下ＤｗＰＴＳと略称）と、アップリンクパイロットタイムスロット（Ｕｐｌｉｎｋ  Ｐｉｌｏｔ  Ｔｉｍｅ  Ｓｌｏｔ、以下ＵｐＰＴＳと略称）と、アップリンク／ダウンリンク間で変換するガードピリオド（Ｇｕａｒｄ  Ｐｅｒｉｏｄ、以下ＧＰと略称）と、を含む。後方互換性を保証するＴＤＤ  ＬＴＥの進化システムとしてのＴＤＤ  ＬＴＥ−ＡシステムはＴＤＤ  ＬＴＥと同様なフレーム構造を維持する。
【０００４】
表１：ＴＤＤ  ＬＴＥシステムにおけるサブフレームのアップリンク／ダウンリンクの配置形式表
【表１】
0005635599.tif 000002
【０００５】
ＴＤＤ  ＬＴＥ  Ｒｅｌｅａｓｅ  ８システムにおいて、サービスデータとフィードバック情報の伝送との間は一定のタイミング関係を満たしている。ダウンリンクサービス伝送のアップリンクフィードバックを例にすると、基地局がｎ号のダウンリンクサブフレームにてデータを送信すると、ｎ＋ｋ号のアンプリンサブフレームにおいて、ユーザ機器は受信したデータに基づいて基地局に対応する肯定応答／否定応答（Ａｃｋｎｏｗｌｅｄｇｅ／Ｎｅｇａｔｉｖｅ  Ａｃｋｎｏｗｌｅｄｇｅ、以下ＡＣＫ／ＮＡＣＫと略称）の情報をフィードバックする。その中、ｋは、ＴＤＤシステムのサブフレームのアップリンク／ダウンリンク配置及びサブフレームの位置が異なるによって異なり、具体的には表２に示す通りである。
【０００６】
表２：ＴＤＤ  ＬＴＥシステムにおけるアップリンクフィードバックタイミングｋ値を示す表
【表２】
0005635599.tif 000003
【０００７】
ＴＤＤ  ＬＴＥ−Ａシステムに中継局を導入した後、データの伝送に１ジャンプが追加されたことに相当し、即ち、元の基地局―端末の通信モードが変更された。２ジャンプシステムを例にすると、中継局のサービスを受けている端末の通信モードは、基地局―中継局―端末の形態に変更された。この時、アップリンクリソースとダウンリンクリソースから一部を分割して基地局―中継局の通信リソースとする、即ち、基地局―中継局の間のサービス伝送のために一部のサブフレームを分割する必要があり、これらのサブフレームが中継サブフレームと呼ばれ、対応するリンクが中継リンク（又はＵｎインタフェース、対応する中継サブフレームはＵｎサブフレームとも呼ばれる）と呼ばれる。しかし、干渉問題を考え、中継局は同じ周波数リソース上で送信作業と受信作業を同時に行うことができないので、この時、ＴＤＤ  ＬＴＥ  Ｒｅｌｅａｓｅ  ８プロトコルに規定されたＡＣＫ／ＮＡＣＫ情報のフィードバックタイミング関係に従って行うと、システムにおける一部の中継リンクが伝送するＡＣＫ／ＮＡＣＫフィードバック情報を紛失しまうことがある。
【０００８】
ＴＤＤシステムのサブフレームのアップリンク／ダウンリンク配置３を例にすると、７、８、９号のダウンリンクサブフレームがダウンリンク中継サブフレームとして配置され、３号のサブフレームがアップリンク中継サブフレームと配置されていると、該三つのダウンリンクサブフレームにおいて伝送されるサービスについて、ＴＤＤ  ＬＴＥ  Ｒｅｌｅａｓｅ  ８プロトコルの規定によると、それぞれアップリンクサブフレーム３、３、４においてＡＣＫ／ＮＡＣＫフィードバックを行う。この際、ＴＤＤ  ＬＴＥプロトコルに規定のＡＣＫ／ＮＡＣＫフィードバックタイミング関係に従って行うと、９号のサブフレームの、ダウンリンク中継リンクのサービスデータの伝送に対応するフィードバック情報ＡＣＫ／ＮＡＣＫを紛失してしまうことがある。
【発明の概要】
【発明が解決しようとする課題】
【０００９】
本発明は、関連技術において中継サブフレームの配置状況を考慮せずにＴＤＤ  ＬＴＥ  Ｒｅｌｅａｓｅ  ８プロトコルに規定されたＡＣＫ／ＮＡＣＫ情報のフィードバックタイミング関係に従ってフィードバックすることによってアップリンクフィードバック情報ＡＣＫ／ＮＡＣＫを紛失してしまうことに鑑み、これらの問題を解決できる改善された中継リンクのアップリンクフィードバック情報の伝送方法を提供することを目的とする。
【課題を解決するための手段】
【００１０】
上記の目的を実現するため、本発明の一方面によると、中継リンクのアップリンク肯定／否定フィードバック情報の伝送方法を提供する。
【００１１】
本発明による中継リンクのアップリンク肯定／否定フィードバック情報の伝送方法は、中継サブフレーム配置に基づいて、アップリンクフィードバック情報を伝送するためのタイミング関係を確定し；中継局がタイミング関係に基づいてアップリンクフィードバック情報を伝送するためのアップリンク中継サブフレームを確定し、アップリンク中継サブフレームを介してアップリンクフィードバック情報を伝送するステップを含む。
【００１２】
中継サブフレーム配置に基づいて、サービスデータのアップリンクフィードバック情報を伝送するためのタイミング関係を確定するステップは、中継局が中継サブフレーム配置を取得し、取得した中継サブフレーム配置に基づいて予め設定された対応関係からタイミング関係を確定し、その中、対応関係は、中継サブフレーム配置とアップリンクフィードバック情報伝送タイミング関係との対応関係であり、または、対応関係は、中継リンクのダウンリンクサービス伝送とアップリンクフィードバック情報を伝送するサブフレーム位置との間の対応関係であり；又は、基地局が中継サブフレーム配置に基づいてタイミング関係を確定してタイミング関係を指示するための指示情報を中継局に送信するステップを含むことが好ましい。
【００１３】
指示情報が、アップリンク中継サブフレームのサブフレーム番号と、アップリンク中継サブフレームのオフセット量の中の少なくとも一つを含むことが好ましい。
【００１４】
基地局が中継局に指示情報を送信するステップは、基地局がダウンリンク中継サブフレームを介して中継局にサービスデータを送信し、サービスデータに対応するダウンリンク制御情報に指示情報を携帯するステップを含むことが好ましい。
【００１５】
中継局がアップリンク中継サブフレームを介してアップリンクフィードバック情報を伝送するステップが、中継局が１アップリンク中継サブフレームにおいて複数のアップリンクフィードバック情報を伝送する場合、中継局がバンドルフィードバックモード又は多重化フィードバックモードに従って複数のアップリンクフィードバック情報を伝送するステップを含むことが好ましい。
【００１６】
中継局がアップリンク中継サブフレームを介してアップリンクフィードバック情報を伝送するステップが、特別サブフレームにおける一部のリソースが、基地局から中継局へのダウンリンクサービスの伝送用として配置されていると、中継局は特別サブフレームの後のアップリンク中継サブフレームを介してダウンリンクサービスのアップリンクフィードバック情報を伝送するステップを含むことが好ましい。
【００１７】
中継局がアップリンク中継サブフレームを介してアップリンクフィードバック情報を伝送するステップが、特別サブフレームにおけるリソースのみが中継局から基地局への中継リンクのアップリンクデータの伝送用として配置されていると、中継局が特別サブフレームを介してアップリンクフィードバック情報を伝送するステップを含むことが好ましい。
【００１８】
上記の目的を実現するため、本発明の他の一方面によると、中継局を提供する。
【００１９】
本発明による中継局は、中継サブフレーム配置に基づいて、アップリンクフィードバック情報を伝送するためのタイミング関係を確定する第１の確定ブロックと、タイミング関係に基づいて、アップリンクフィードバック情報を伝送するためのアップリンク中継サブフレームを確定する第２の確定ブロックと、アップリンク中継サブフレームを介してアップリンクフィードバック情報を伝送する伝送ブロックと、を含む。
【００２０】
第１の確定ブロックが、中継サブフレーム配置を取得する取得サブブロックと、取得した中継サブフレーム配置に基づいて、予め設定された、中継サブフレーム配置とアップリンクフィードバック情報を伝送する伝送タイミング関係との対応関係又は中継リンクのダウンリンクサービス伝送とアップリンクフィードバック情報を伝送するサブフレーム位置との対応関係からタイミング関係を確定する第１の確定サブブロックと、を含むことが好ましい。
【００２１】
第１の確定ブロックが、基地局からのタイミング関係を確定するための指示情報を受信する受信サブブロックを含むことが好ましい。
【００２２】
上記の目的を実現するため、本発明の他の一方面によると、基地局を提供する。
【００２３】
本発明による基地局は、中継サブフレーム配置に基づいてタイミング関係を確定する確定ブロックと、タイミング関係を指示する指示情報を中継局に送信する送信ブロックと、タイミング関係に基づいて確定したアップリンク中継サブフレームにおいてアップリンクフィードバック情報を受信する受信ブロックと、を含む。
【００２４】
送信ブロックは、さらに、ダウンリンク中継サブフレームを介して中継局にサービスデータを送信し、サービスデータに対応するダウンリンク制御情報に指示情報を携帯させることが好ましい。
【発明の効果】
【００２５】
本発明によると、中継サブフレーム配置に基づいてアップリンクフィードバック情報を伝送するためのタイミング関係を確定することによって、中継局を含むシステムにおいてアップリンクフィードバック情報ＡＣＫ／ＮＡＣＫを紛失してしまう問題を解決し、基地局と中継局とのダウンリンク通信の信頼性を保証し、該フィードバック情報の伝送はユーザ機器に影響を与えない。
【図面の簡単な説明】
【００２６】
ここで説明する図面は本発明を理解させるためのもので、本発明の一部を構成し、本発明における実施例と共に本発明を解釈し、本発明を不当に限定するのではない。
【図１ａ】は、関連技術に係るＴＤＤシステムのフレーム構造を示す図である。
【図１ｂ】は、関連技術に係るＴＤＤシステムの特別サブフレームの構造を示す図である。
【図２】は、本発明の実施例に係る中継リンクのアップリンクフィードバック情報を伝送する方法を示すフローチャートである。
【図３】は、本発明の実施例に係る中継リンクのアップリンクフィードバック情報を伝送する方法を示す具体的なフローチャートである。
【図４】は、本発明の実施例の実施例１に係わる中継サブフレーム配置を示す図である。
【図５】は、本発明の実施例の実施例２に係わる中継サブフレーム配置を示す図である。
【図６】は、本発明の実施例の実施例３に係わる中継サブフレーム配置を示す図である。
【図７】は、本発明の実施例の実施例４に係わる中継サブフレーム配置を示す図である。
【図８】は、本発明の実施例の実施例５に係わる中継サブフレーム配置を示す図である。
【図９】は、本発明の実施例に係わる中継局の構造を示す図である。
【図１０】は、本発明の実施例に係わる中継局の具体的な構造を示すブロック図１である。
【図１１】は、本発明の実施例に係わる中継局の具体的な構造を示すブロック図２である。
【図１２】は、本発明の実施例に係わる基地局の構造を示すブロック図である。
【発明を実施するための形態】
【００２７】
現在、ＬＴＥ／ＬＴＥ−Ａ  Ｒｅｌｅａｓｅ関連技術において、中継リンクがＴＤＤ  ＬＴＥ  Ｒｅｌｅａｓｅ  ８プロトコルに規定のＡＣＫ／ＮＡＣＫ情報のフィードバックタイミング関係に従うことによって、中継リンクのアップリンクＡＣＫ／ＮＡＣＫフィードバック情報を紛失してしまう問題を考えていない。本発明の実施例によると、アップリンク／ダウンリンク中継サブフレームの配置によって、中継リンクのアップリンクＡＣＫ／ＮＡＣＫフィードバック情報の伝送がＴＤＤ  ＬＴＥ  Ｒｅｌｅａｓｅ  ８プロトコルに規定のタイミング関係に従って完成できない場合、システムが中継リンクのダウンリンクサービス伝送のアップリンクＡＣＫ／ＮＡＣＫ情報のために新規のフィードバックタイミング関係を定義し、中継局が新規のフィードバックタイミング関係に応じて、アップリンクＡＣＫ／ＮＡＣＫ情報を伝送する中継リンクのアップリンクフィードバック情報の伝送方法を提供する。即ち、中継サブフレームを配置した後、該中継サブフレーム配置の場合、中継リンクのダウンリンクサービスの伝送とアップリンクフィードバック情報の伝送とのタイミング関係が、ＴＤＤ  ＬＴＥ  Ｒｅｌｅａｓｅ  ８プロトコルに規定のアップリンクＡＣＫ／ＮＡＣＫフィードバック伝送タイミング関係に従うことができると、中継リンクのアップリンクＡＣＫ／ＮＡＣＫフィードバック情報をＴＤＤ  ＬＴＥ  Ｒｅｌｅａｓｅ  ８プロトコルに定義されたタイミング関係に従って伝送し、さもないと、中継リンクに新規のアップリンクＡＣＫ／ＮＡＣＫフィードバックタイミング関係を定義する。具体的に、中継サブフレームの配置に基づいて、アップリンクフィードバック情報を伝送するためのタイミング関係を確定し；中継局は、タイミング関係に応じて、アップリンクフィードバック情報を伝送するためのアップリンク中継サブフレームを確定し、アップリンク中継サブフレームを介してアップリンクフィードバック情報を伝送する。
【００２８】
ここで、互いに衝突しない限り、本願における実施例及び実施例における特徴を互いに結合することができる。以下、図面を参照しつつ、実施例を結合して本発明を詳しく説明する。
【００２９】
方法実施例
以下の実施例において、図面に示すステップは例えば１セットのコンピュータが実行可能な命令に対するコンピュータシステムにおいて実行可能であり、フローチャートに論理的な順を示しているが、異なる順に従ってこれらのステップを実行することもできる。
【００３０】
本発明の実施例によると、中継リンクのアップリンクフィードバック情報の伝送方法を提供する。図２は、本発明の実施例に係る中継リンクのアップリンクフィードバック情報の伝送方法を示すフローチャートである。図２に示すように、次のステップＳ２０２〜ステップＳ２０６を含む。
【００３１】
中継サブフレームの配置に基づいて、アップリンクフィードバック情報を伝送するためのタイミング関係を確定する（ステップＳ２０２）。
【００３２】
中継局は、タイミング関係に基づいて、アップリンクフィードバック情報を伝送するためのアップリンク中継サブフレームを確定する（ステップＳ２０４）。
【００３３】
中継局は、アップリンク中継サブフレームを介してアップリンクフィードバック情報を伝送する（ステップＳ２０６）。
【００３４】
関連技術において、アップリンクフィードバック情報の伝送は、中継サブフレームの配置状況を考えていない。本発明の実施例において、タイミング関係は中継サブフレームの配置状況を表し、中継局は該タイミング関係から、アップリンクフィードバック情報を伝送するためのアップリンク中継サブフレームを確定することによって、アップリンクフィードバック情報ＡＣＫ／ＮＡＣＫの紛失を防止する。
【００３５】
ステップＳ２０６において、中継局がフィードバック情報をアップリンク伝送する場合、１アップリンク中継サブフレームにおいて複数のダウンリンクサービスのフィードバック情報を伝送する必要がある場合、中継局が、予め約定したフィードバックモード又は高層シグナリングにより指示されたフィードバックモードに応じてフィードバックを生成した後、バンドルフィードバックモード又は多重化フィードバックモードに従って上記の複数のアップリンクフィードバック情報を基地局に送信することが好ましい。
【００３６】
ここで、ステップＳ２０２において中継サブフレームの配置に基づいてサービスデータのアップリンクフィードバック情報を伝送するタイミング関係を確定する際、主に以下のような二つの状況がある。以下、該二つの状況について詳しく説明する。
【００３７】
状況１：中継局は中継サブフレーム配置を取得し、取得した中継サブフレーム配置に基づいて、予め設定された対応関係からタイミング関係を確定し、その中、対応関係は、中継サブフレーム配置とアップリングフィードバック情報を伝送するタイミング関係との対応関係であって、又は、中継リンクのダウンリンクサービス伝送とアップリンクフィードバック情報を伝送するサブフレーム位置との対応関係である。具体的に、状況１は以下の処理を含む。
【００３８】
まず、基地局と中継局との間で、各サブフレームアップリンク／ダウンリンク配置における可能的な中継サブフレーム配置に応じて、中継リンクのアップリンクフィードバック情報とダウンリンクサービス伝送との間のタイミング関係を約定し、即ち、各中継サブフレームの配置状況について、中継リンクのダウンリンクサービスの伝送と対応するアップリンクフィードバック情報の伝送とのタイミング関係を約定する。ここで言う約定とは、上記タイミング関係をシグナリングによって送信せずに、アップリンクフィードバック情報とダウンリンクサービスの伝送との間のタイミング関係を標準プロトコルに規定することを指す。
【００３９】
その後、中継局は、基地局の中継サブフレームの配置情報に基づいて、予め約定されたものに基づいて対応するフィードバックタイミング関係を確定し、該フィードバックタイミング関係に応じて対応するアップリンク中継サブフレームにてフィードバック情報を伝送する。
【００４０】
状況２：基地局が中継サブフレーム配置に基づいてタイミング関係を確定し、中継局に、タイミング関係を指示するための指示情報を送信する。即ち、基地局は、中継サブフレームの配置状況に基づいて、中継リンクのアップリンクフィードバック情報の伝送とダウンリンクサービスの伝送との間のタイミング関係を設定して中継局に指示し、中継局は、指示に応じて対応するフィードバックタイミング関係を確定し、該フィードバックタイミング関係に応じてアップリンクフィードバック情報を伝送する。
【００４１】
基地局は、ダウンリンク中継サブフレームを介してサービスデータを中継局に送信し、サービスデータに対応するダウンリンク制御情報に指示情報を携帯させる。即ち、基地局は、中継局に送信するサービスデータに対応する中継リンクのダウンリンク制御シグナリングを介して該指示情報を送信する。
【００４２】
その中、指示情報は、アップリンクフィードバック情報を伝送するためのアップリンク中継サブフレームのサブフレーム番号であったり、該アップリンク中継サブフレームのオフセット量であったりすることができる。オフセット量とは、中継リンクのダウンリンクサービスデータ伝送用のサブフレームに対するフィードバック情報伝送用のサブフレームのオフセット量を指し、オフセット量は、全てのサブフレームに対するオフセット量であり；又は、オフセット量は中継リンクのダウンリンクサービスデータ伝送用のサブフレーム後の一番目のアップリンク中継サブフレームに対するフィードバック情報伝送用のサブフレームのオフセット量であって、アップリンク中継サブフレームに対するオフセット量である。
【００４３】
中継サブフレーム配置に基づいてアップリンクフィードバック情報伝送用のタイミング関係を確定する前、中継サブフレーム配置で、ＴＤＤ  ＬＴＥ  Ｒｅｌｅａｓｅ  ８プロトコルに規定されたアップリンクフィードバック情報のタイミング関係を利用可能であるか否かを判定することが好ましい。可能であると、ＴＤＤ  ＬＴＥ  Ｒｅｌｅａｓｅ  ８プロトコルに規定のアップリンクフィードバック情報伝送用のタイミング関係に従ってアップリンクフィードバック情報を伝送し、不可能であると、中継サブフレーム配置に基づいてアップリンクフィードバック情報伝送用のタイミング関係を確定する操作を行う。
【００４４】
中継局において本発明に記載のタイミング関係に従ってフィードバック情報を伝送する場合、１アップリンク中継サブフレームにて複数のダウンリンクサービスのフィードバック情報をフィードバックする必要がある場合、中継局は、予め約定したフィードバックモード又は高層シグナリングにより指示されたフィードバックモードに応じてフィードバック情報を生成した後、バンドルフィードバックモード又は多重化フィードバックモードに従って上記の複数のアップリンクフィードバック情報を基地局に送信する。
【００４５】
ここで、基地局が特別サブフレームにおけるリソースを用いて基地局にダウンリンクサービスを伝送する場合、中継局の該ダウンリンクサービスのフィードバック情報の伝送は以下の二つの状況に分けられる：（１）特別サブフレームにおけるリソースが基地局により中継局にダウンリンクサービスを伝送するに用いられていると、中継局は特別サブフレームの後のアップリンク中継サブフレームを介してダウンリンクサービスのアップリンクフィードバック情報を伝送する。即ち、特別サブフレームＳにおける一部のリソースが基地局から中継局へのサービス伝送に用いられた場合、特別サブフレームＳにおける中継リンクのダウンリンクサービス伝送のアップリンクフィードバック情報はサブフレームＳの後の一つのアップリンク中継サブフレームにて伝送される。（２）特別サブフレームにおけるリソースのみを中継局から基地局へのアップリンクサービスの伝送に用いると、中継局は特別サブフレームを介してダウンリンクサービスのアップリンクフィードバック情報を伝送する。即ち、特別サブフレームＳにおけるリソースのみが中継局から基地局へのサービス伝送に用いられた場合、中継リンクのダウンリンクサービス伝送のアップリンクフィードバック情報は特別サブフレームＳにて伝送される。
【００４６】
以下、表１中のＴＤＤ  ＬＴＥシステムにおけるサブフレームアップリンク／ダウンリンク配置形式に基づいて本発明の実施例を詳しく説明する。
【００４７】
サブフレームのアップリンク／ダウンリンク配置１の場合
サブフレーム４がダウンリンク中継サブフレームとして配置された場合、サブフレーム３のみがアップリンク中継サブフレームとして配置されていれば、ｎ号の無線フレームのサブフレーム４における中継リンクのダウンリンクサービスデータ伝送に対応するフィードバック情報をｎ＋１号の無線フレームのアップリンク中継サブフレーム３にて伝送することが好ましく、サブフレーム８がアップリンク中継サブフレームとして配置されていれば、ｎ号無線フレームのサブフレーム４における中継リンクのダウンリンクサービスデータ伝送に対応するフィードバック情報をｎ号無線フレームのアップリンク中継サブフレーム８にて伝送することが好ましく、即ち、中継リンクのアップリンクフィードバック情報の伝送はＴＤＤ  ＬＴＥ  Ｒｅｌｅａｓｅ  ８プロトコルに規定のアップリンクフィードバック情報の伝送時間順に従って行うことができる。
【００４８】
サブフレーム９がダウンリンク中継サブフレームとして配置された場合、サブフレーム８のみがアップリンク中継サブフレームとして配置されていると、ｎ号の無線フレームのサブフレーム９における中継リンクのダウンリンクサービスデータ伝送に対応するフィードバック情報をｎ＋１号の無線フレームのアップリンク中継サブフレーム８にて伝送することが好ましく、サブフレーム３がアップリンク中継サブフレームとして配置されていると、ｎ号の無線フレームのサブフレーム９における中継リンクのダウンリンクサービスデータ伝送に対応するフィードバック情報をｎ＋１号の無線フレームのアップリンク中継サブフレーム３にて伝送することが好ましく、即ち、中継リンクのアップリンクフィードバック情報の伝送をＴＤＤ  ＬＴＥ  Ｒｅｌｅａｓｅ  ８プロトコルに規定のアップリンクフィードバック情報の伝送時間順に従って行うことができる。
【００４９】
サブフレームアップリンク／ダウンリンク配置２の場合
サブフレーム２のみがアップリンク中継サブフレームとして配置された場合、サブフレーム３又は／及び９がダウンリンク中継サブフレームとして配置されていると、ｎ号の無線フレームのサブフレーム３における中継リンクのダウンリンクサービスデータ伝送に対応するフィードバック情報をｎ＋１号の無線フレームのアップリンク中継サブフレーム２にて伝送することが好ましく、ｎ号の無線フレームのサブフレーム９における中継リンクのダウンリンクサービスデータ伝送に対応するフィードバック情報をｎ＋２号の無線フレームのアップリンク中継サブフレーム２にて伝送することが好ましく、サブフレーム４及び／又は８がダウンリンク中継サブフレームとして配置されていると、ｎ号の無線フレームのサブフレーム４及び／又は８における中継リンクのダウンリンクサービスデータ伝送に対応するフィードバック情報をｎ＋１号の無線フレームのアップリンク中継サブフレーム２にて伝送することが好ましく、即ち、中継リンクのアップリンクフィードバック情報の伝送をＴＤＤ  ＬＴＥ  Ｒｅｌｅａｓｅ  ８プロトコルに規定のアップリンクフィードバック情報の伝送時間順に従って行うことができる。
【００５０】
サブフレーム７のみがアップリンク中継サブフレームとして配置された場合、サブフレーム４及び／又は８がダウンリンク中継サブフレームとして配置されていると、ｎ号の無線フレームのサブフレーム４及び／又は８における中継リンクのダウンリンクサービスデータ伝送に対応するフィードバック情報をｎ＋１号の無線フレームのアップリンク中継サブフレーム７にて伝送することが好ましく、サブフレーム３及び／又は９がダウンリンク中継サブフレームとして配置されていると、ｎ号の無線フレームのサブフレーム３における中継リンクのダウンリンクサービスデータ伝送に対応するフィードバック情報をｎ号の無線フレームのアップリンク中継サブフレーム７にて伝送することが好ましく、ｎ号の無線フレームのサブフレーム９における中継リンクのダウンリンクサービスデータ伝送に対応するフィードバック情報をｎ＋１号の無線フレームのアップリンク中継サブフレーム７にて伝送することが好ましく、即ち、中継リンクのアップリンクフィードバック情報の伝送をＴＤＤ  ＬＴＥ  Ｒｅｌｅａｓｅ  ８プロトコルに規定のアップリンクフィードバック情報の伝送時間順に従って行うことができる。
【００５１】
サブフレームアップリンク／ダウンリンク配置３の場合
サブフレーム３のみがアップリンク中継サブフレームとして配置された場合、サブフレーム９がダウンリンク中継サブフレームとして配置されていると、ｎ号の無線フレームのサブフレーム９における中継リンクのダウンリンクサービスデータ伝送に対応するフィードバック情報をｎ＋１号の無線フレームのアップリンク中継サブフレーム３にて伝送することが好ましい。サブフレーム３のみがアップリンク中継サブフレームとして配置されたと限定しないことが好ましく、即ち、サブフレーム９がダウンリンク中継サブフレームとして配置されると、サブフレーム３がアップリンク中継サブフレームとして配置された場合、ｎ号の無線フレームのサブフレーム９における中継リンクのダウンリンクサービスデータ伝送に対応するフィードバック情報をｎ＋１号の無線フレームのアップリンク中継サブフレーム３にて伝送することが好ましい。
【００５２】
サブフレーム３がアップリンク中継サブフレームとして配置された場合、サブフレーム７及び／又は８がダウンリンク中継サブフレームとして配置されていると、ｎ号の無線フレームのサブフレーム７及び／８における中継リンクのダウンリンクサービスデータ伝送に対応するフィードバック情報をｎ＋１号の無線フレームのアップリンク中継サブフレーム３にて伝送することが好ましく、即ち、中継リンクのアップリンクフィードバック情報の伝送時間順はＴＤＤ  ＬＴＥ  Ｒｅｌｅａｓｅ  ８プロトコルに規定されたアップリンクフィードバック情報の伝送時間順に従うことができ、又は、
サブフレーム７及び／又は８がダウンリンク中継サブフレームとして配置された場合、サブフレーム２のみがアップリンク中継サブフレームとして配置されていると、ｎ号の無線フレームのサブフレーム７及び／又は８における中継リンクのダウンリンクサービスデータ伝送に対応するフィードバック情報をｎ＋１号の無線フレームのアップリンク中継サブフレーム２にて伝送することが好ましい。
【００５３】
サブフレームアップリンク／ダウンリンク配置４の場合
サブフレーム３がアップリンク中継サブフレームとして配置された場合、サブフレーム４がダウンリンク中継サブフレームとして配置されていると、ｎ号の無線フレームのサブフレーム４における中継リンクのダウンリンクサービスデータ伝送に対応するフィードバック情報をｎ＋１号の無線フレームのアップリンク中継サブフレーム３にて伝送することが好ましく、サブフレーム７及び／又は８及び／又は９がダウンリンク中継サブフレームとして配置されていると、ｎ号の無線フレームのサブフレーム７及び／又は８及び／又は９における中継リンクのダウンリンクサービスデータ伝送に対応するフィードバック情報をｎ＋１号の無線フレームのアップリンク中継サブフレーム３にて伝送することが好ましく、即ち、中継リンクのアップリングフィードバック情報の伝送時間順はＴＤＤ  ＬＴＥ  Ｒｅｌｅａｓｅ  ８プロトコルに規定のアップリンクフィードバック情報の伝送時間順に従うことができる。
【００５４】
サブフレーム２のみがアップリンク中継サブフレームとして配置された場合、サブフレーム７及び／又は８がダウンリンク中継サブフレームとして配置されていると、ｎ号の無線フレームのサブフレーム７及び／又は８における中継リンクのダウンリンクサービスデータ伝送に対応するフィードバック情報をｎ＋１号の無線フレームのアップリンク中継サブフレーム２にて伝送することが好ましい。
【００５５】
サブフレームアップリンク／ダウンリンク配置６の場合
サブフレーム３のみがアップリンク中継サブフレームとして配置された場合、サブフレーム９がダウンリンク中継サブフレームとして配置されていると、ｎ号の無線フレームのサブフレーム９における中継リンクのダウンリンクサービスデータ伝送に対応するフィードバック情報をｎ＋１号の無線フレームのアップリンク中継サブフレーム３にて伝送することが好ましい。
【００５６】
サブフレーム４がアップリンク中継サブフレームとして配置された場合、サブフレーム９がダウンリンク中継サブフレームとして配置されていると、ｎ号の無線フレームのサブフレーム９における中継リンクのダウンリンクサービスデータ伝送に対応するフィードバック情報をｎ＋１号の無線フレームのアップリンク中継サブフレーム４にて伝送することが好ましく、即ち、中継リンクのアップリンクフィードバック情報の伝送時間順はＴＤＤ  ＬＴＥ  Ｒｅｌｅａｓｅ  ８プロトコルに規定のアップリンクフィードバック情報の伝送時間順に従うことができる。
【００５７】
以下、上記のステップＳ２０２〜ステップＳ２０６を詳しく説明する。
図３は、本発明の実施例による中継リンクのアップリンクフィードバック情報の伝送方法を示すフローチャートである。図３に示すように、ステップＳ３０１〜ステップＳ３０４を含む。
【００５８】
基地局は、中継局にサービスデータを送信する（ステップＳ３０１）。
【００５９】
中継局がアップリンクフィードバック情報を伝送するためのタイミング関係を確定する（ステップＳ３０２）。
【００６０】
該ステップにおいて、中継局と基地局との間で中継リンクのアップリンクフィードバック情報伝送用のサブフレームの位置が約定されていると、即ち、可能な中継サブフレームの配置状況について、対応する中継リンクのアップリンクフィードバック情報の伝送タイミング関係が約定されていると、中継局は、中継サブフレーム配置情報を取得した後、中継サブフレーム配置状況に応じて対応するアップリンクフィードバック情報の伝送タイミング関係を確定する。
【００６１】
又は、基地局が、ダウンリンクシグナナリングを介して中継局に中継リンクのアップリンクフィードバック情報伝送のタイミング関係を指示する。該指示シグナリング（即ち、指示情報）は、フィードバック情報伝送用のサブフレーム番号を直接指示し；又は、ダウンリンクサービス伝送用のサブフレーム位置に対するフィードバック情報伝送用のサブフレームの位置のオフセット量を指示し、該オフセット量は全てのサブフレームに対するオフセット量であり；又は、中継リンクのダウンリンクサービス伝送用のサブフレーム後の一番目のアップリンク中継サブフレームに対するフィードバック情報伝送用のサブフレーム位置のオフセット量を指示し、該オフセット量はダウンリンクサービス伝送後のアップリンク中継サブフレームに対するオフセット量である。オフセット量は、中継局がオフセット量に基づいてＡＣＫ／ＮＡＣＫをフィードバックしたサブフレーム位置を確定するために使用される。なお、上記の指示シグナリングが、基地局から中継局に送信したサービスデータの対応する制御情報に含まれることができる。
【００６２】
中継局は、中継リンクのアップリンクフィードバック情報ＡＣＫ／ＮＡＣＫを生成し、フィードバック情報伝送用のサブフレームを確定する（ステップＳ３０３）。
【００６３】
ステップＳ３０３において、中継局は、中継リンクのダウンリンクサービスデータを受信した後、データのチェック結果に基づいて対応するフィードバック情報ＡＣＫまたはＮＡＣＫを生成する。
【００６４】
ＡＣＫ／ＮＡＣＫ情報を伝送するアップリンク中継サブフレームを確定した後、中継局は該サブフレームにて対応するＡＣＫ／ＮＡＣＫフィードバック情報を伝送する（ステップＳ３０４）。
【００６５】
ステップＳ３０４において、中継局が１サブフレームにて複数のダウンリンクサービスのＡＣＫ／ＮＡＣＫフィードバック情報を伝送する必要がある場合、基地局は、バンドル（ｂｕｎｄｌｉｎｇ）フィードバック又は多重化（ｍｕｌｔｉｐｌｅｘｉｎｇ）フィードバックのモードを採用することができ、具体的なフィードバックモードは、基地局と中継局との間で予め約定し、又は、高層シグナリングの指示によって確定することもできる。
【００６６】
以下、実施例を結合して、本発明の実施例の実現プロセスを詳しく説明する。
【００６７】
以下の実施例において、ＴＤＤ  ＬＴＥ−Ａシステムにおいて、１セルが１基地局と幾つかの中継局を含むとする。受信と送信の干渉のため、中継局が同じリソースにおいて送信及び受信を同時に行うことが不可能であるので、中継局と基地局との通信用に、アップリンクとダウンリンクのサブフレームから一部を分割する。この時、ＴＤＤ  ＬＴＥ  Ｒｅｌｅａｓｅ  ８プロトコルに規定のアップリンクＡＣＫ／ＮＡＣＫ情報のフィードバックタイミング関係に従って行うと、中継リンクの一部のアップリンクＡＣＫ／ＮＡＣＫフィードバック情報を紛失してしまう可能性がある。従って、中継サブフレームの配置状況によって、中継リンクのアップリンクＡＣＫ／ＮＡＣＫフィードバック情報の伝送をＴＤＤ  ＬＴＥ  Ｒｅｌｅａｓｅ  ８プロトコルに規定のアップリンクフィードバック情報の伝送時間順に従って行うことができない場合、中継リンクのアップリンクＡＣＫ／ＮＡＣＫフィードバック情報の伝送タイミング関係を再び確定して中継リンクのダウンリンクサービス伝送の信頼性を保証しなければならない。
【００６８】
実施例１
実施例１において、一部のアップリンク及びダウンリンクサブフレームが、基地局と中継局との間での通信用として配置される。該実施例において、サブフレームアップリンク／ダウンリンク配置３（表１を参照）を例にする。該実施例において、各無線フレームのサブフレーム３はアップリンク中継サブフレームとし配置され、サブフレーム７、８、９がダウンリンク中継サブフレーム（サブフレーム番号０〜９）として配置されることができる。図４に示すように、ＤＬ−Ｂはダウンリンク中継サブフレームを表し、即ち、ＤＬ−Ｂサブフレームにて中継局は基地局からのサービスを受信し；ＵＬ−Ｂはアップリンク中継サブフレームを表し、即ち、ＵＬ−Ｂサブフレームにて中継局は基地局にデータを送信する。
【００６９】
現在のＴＤＤ  ＬＴＥプロトコルの規定によると、サブフレームアップリンク／ダウンリンク配置３において、ダウンリンクサブフレーム７、８、９におけるサービスデータ伝送に対応するＡＣＫ／ＮＡＣＫフィードバック情報はそれぞれアップリンクサブフレーム３、３と４にて伝送される。該実施例において、４はアップリンク中継サブフレームとして配置されていないので、即ち、サブフレーム４において中継局がＵＥからのデータ情報を受信するので、現在のＴＤＤ  ＬＴＥプロトコルの規定に従うと、中継局が９号のサブフレームにおいて基地局のサービスデータを受信した後、ＡＣＫ／ＮＡＣＫ情報のフィードバックを行うことができない。
【００７０】
該実施例において、基地局がｎ号の無線フレームのサブフレーム９にて中継局に送信したダウンリンクサービスデータについて、中継局はｎ＋１号の無線フレームのアップリンク中継サブフレーム３にてフィードバックする。即ち、ｎ＋１号の無線フレームのサブフレーム３において、中継局は基地局にｎ号の無線フレームのサブフレーム７、８、９におけるサービスデータ伝送に対応するＡＣＫ／ＮＡＣＫ情報をフィードバックする。
【００７１】
該実施例において、中継リンクのダウンリンクサービスデータに対応するＡＣＫ／ＮＡＣＫフィードバック情報のタイミング関係は限定されたもので、即ち、サブフレーム７、８、９にてダウンリンク中継サービスを伝送すると、対応するフィードバック情報を次の無線フレームのサブフレーム３にてフィードバックすると約定されている。このように約定した場合、基地局は他のシグナリングを介して中継局にフィードバック情報の伝送位置を指示する必要がない。
【００７２】
中継局による具体的なフィードバック伝送プロセスは、中継局がｎ号の無線フレームのダウンリンク中継サブフレーム７、８、９における一つ又は幾つかにおいて基地局のサービスデータを受信した後、アップリンクフィードバック情報生成ブロックはデータのチェック結果に基づいて対応するＡＣＫ又はＮＡＣＫ情報を生成して、基地局と中継局との間に約定されたフィードバック情報の伝送タイミング関係に基づいて、フィードバック情報伝送用のサブフレームをｎ＋１号の無線フレームのアップリンク中継サブフレーム３に確定して伝送ブロックに指示する。ｎ＋１号の無線フレームのサブフレーム３において、伝送ブロックは指示に応じて、対応するＡＣＫ／ＮＡＣＫ情報を送信する。
【００７３】
中継局が、１アップリンク中継サブフレームにて複数のＡＣＫ／ＮＡＣＫ情報をフィードバックする必要がある場合、中継局は、複数のＡＣＫ／ＮＡＣＫ情報のＡＮＤ演算結果をフィードバックするバンドル（ｂｕｎｄｌｉｎｇ）フィードバックモード、又は、複数のＡＣＫ／ＮＡＣＫ情報をフィードバックする多重化（ｍｕｌｔｉｐｌｅｘｉｎｇ）フィードバックモードを用いることができる。具体的なフィードバックモードは、中継局と基地局との間に約定され、例えば、複数のＡＣＫ／ＮＡＣＫ情報をフィードバックする場合、多重化モードを用いると約定し、又は高層シグナリングによって中継局に指示する。
【００７４】
実施例２
実施例２において、一部のアップリンクサブフレームとダウンリンクサブフレームが基地局と中継局との間の通信用として配置される。該実施例において、サブフレームアップリンク／ダウンリンク配置４（表１を参照）を例にする。
【００７５】
該実施例において、基地局は中継局の可能なサービス量などの情報に応じて中継サブフレームを配置する。サブフレームアップリンク／ダウンリンク配置４の場合、ダウンリンク中継サブフレームの数が異なるによって３種類の候補の中継サブフレーム配置方案があって、それぞれを中継サブフレーム配置方案１、２、３とし、それぞれ図５（ａ）、５（ｂ），５（ｃ）に示すとおりである。その中、ＤＬ−ＢとＵＬ−Ｂの意味は上記と同じである。サブフレームアップリンク／ダウンリンク配置４において、基地局と中継局が通信を行う必要がある場合、基地局は中継局の可能なサービス量などの情報に基づいて、限定された上記の３種類の中継サブフレーム配置方案から一つを選択して現在の中継サブフレーム配置として中継局に指示する。
【００７６】
該実施例において、３種類の中継サブフレーム配置方案について、それぞれが対応する中継リンクのアップリンクＡＣＫ／ＮＡＣＫ情報のフィードバックタイミング関係に対応する。また、各中継サブフレーム配置方案について、中継リンクのダウンリンクサービスとアップリンクフィードバック情報の伝送とのタイミング関係は限定されたものである。中継サブフレーム配置方案１の場合、ダウンリンク中継サブフレーム８、９におけるサービスデータ伝送に対応するＡＣＫ／ＮＡＣＫフィードバック情報の伝送位置は、ＴＤＤ  ＬＴＥ  Ｒｅｌｅａｓｅ  ８プロトコルに規定のＡＣＫ／ＮＡＣＫフィードバックタイミング関係に従うものであればいい。即ち、アップリンク中継サブフレーム３において対応するＡＣＫ／ＮＡＣＫ情報をフィードバックする。中継サブフレーム配置方案２の場合、中継リンクのアップリンクＡＣＫ／ＮＡＣＫフィードバックも同様にＴＤＤ  ＬＴＥプロトコルに規定のＡＣＫ／ＮＡＣＫフィードバックタイミング関係に従って行うといい。中継サブフレーム配置方案３の場合、ＴＤＤ  ＬＴＥにおけるＡＣＫ／ＮＡＣＫフィードバックタイミングに従うと、ダウンリンクサブフレーム４におけるサービス伝送に対応するフィードバック情報を次の無線フレームのアップリンクサブフレーム２にてフィードバックする。しかし、該実施例において、２はアップリンクの普通サブフレームであるので、既存のＴＤＤ  ＬＴＥ  Ｒｅｌｅａｓｅ  ８プロトコルに規定のフィードバックタイミングによると、基地局がダウンリンクサブフレーム４にて中継局にサービスデータを送信すると、中継局は対応するＡＣＫ／ＮＡＣＫ情報をフィードバックすることができない。従って、中継サブフレーム４におけるダウンリンクサービスデータに対して、中継局はアップリンク中継サブフレーム３において対応するＡＣＫ／ＮＡＣＫ情報をフィードバックする。基地局が中継サブフレームを中継サブフレーム配置方案３に配置した場合、具体的なプロセスは以下の通りである。
【００７７】
１）基地局はダウンリンクシグナリンクを介して中継局に中継サブフレーム配置を配置方案３を採用するように指示する。
該実施例において、基地局はダウンリンクシグナリンクを介して中継局に中継サブフレームの配置方案を指示する。具体的な指示方法は、本発明に係る内容ではないので、ここでは説明を省略する。
【００７８】
２）中継局はフィードバック情報ＡＣＫ／ＮＡＣＫを生成し；基地局の中継サブフレーム配置に基づいて、ダウンリンク中継サービス伝送のアップリンクフィードバック情報伝送用のサブフレーム位置を確定し；確定したアップリンクフィードバックサブフレームにおいて対応するＡＣＫ／ＮＡＣＫ情報を送信する。
【００７９】
基地局からのダウンリンクサービスデータを受信した後、中継局は、対応するＡＣＫ／ＮＡＣＫ情報を生成する。中継局は基地局からのダウンリンクシグナリンクを受信した後、基地局の指示に応じて、現在の中継サブフレーム配置方案が方案３であると確定する（図５（ｃ）に示す通り）。各種の中継サブフレームの配置方案について、ダウンリンク中継サービスとアップリンクフィードバック情報の伝送とのタイミング関係は確定されるものであるので、中継局はアップリンク中継サブフレーム３において前の無線フレームのダウンリンク中継サブフレーム４、７、８、９におけるサービスデータ伝送に対応するＡＣＫ／ＮＡＣＫ情報をフィードバックすることを確定する。
【００８０】
中継局が１アップリンク中継サブフレームにおいて複数のＡＣＫ／ＮＡＣＫ情報をフィードバックする必要がある場合、中継局は、複数のＡＣＫ／ＮＡＣＫ情報のＡＮＤ演算結果をフィードバックするバンドルフィードバックモード、又は複数のＡＣＫ／ＮＡＣＫ情報をフィードバックする多重化フィードバックモードを用いることができる。具体的なフィードバックモードは、中継局と基地局との間で約定され、例えば、複数のＡＣＫ／ＮＡＣＫ情報をフィードバックする場合、多重化フィードバックモードを採用すると約定し、又は、高層シグナリンクを介して中継局に指示する。
【００８１】
該実施例において、中継サブフレーム配置方案が確定されると、中継リンクのアップリンクフィードバック情報ＡＣＫ／ＮＡＣＫの伝送タイミング関係は確定されたものである。
【００８２】
実施例３
該実施例３において、一部のアップリンクサブフレームとダウンリンクサブフレームが基地局と中継局との間の通信用として配置され、このような配置は動的なものである。動的とは、サブフレームのアップリンク／ダウンリンク配置形式に対し、中継サブフレームがリアルタイムに配置され、基地局は中継サブフレームの配置情報を中継リンクのダウンリンクシグナリングを介して中継局に報知する。
【００８３】
中継局がサブフレーム０、１、５、６にてＵＥに放送、コール、同期などのメッセージを送信する必要があるので、他のサブフレームを中継サブフレームとして配置されることができる。中継サブフレームが動的に配置された場合、中継リンクのダウンリンクサービス伝送に対応するＡＣＫ／ＮＡＣＫフィードバック情報の伝送タイミング関係を、基地局が中継局に制御情報を送信することによって指示することができる。例えば、基地局が中継局にサービスデータを送信する場合、該サービスデータの対応する制御情報に情報ビットを追加することによってアップリンクフィードバック情報ＡＣＫ／ＮＡＣＫ伝送用のサブフレーム位置を指示する。該位置ビットはフィードバックサブフレームの番号であることができ、即ち、フィードバック情報伝送用のサブフレーム番号を直接指示することができる。サブフレームアップリンク／ダウンリンク配置３を例にすると、図６（ａ）に示すように、ｎ号の無線フレームとｎ＋１号の無線フレームのサブフレーム３とサブフレーム７、８，９がそれぞれアップリンク中継サブフレームとダウンリンク中継サブフレームとして配置されるとする。基地局がサブフレーム９において中継局にサービスデータを送信する場合、同時にフィードバック位置指示ビットにおいてフィードバックサブフレームが３であると指示し、例えば、フィードバック位置指示ビットが４ｂｉｔｓである場合、００１１に配置することができ、フィードバック位置が３号のサブフレームであることを表する。中継局はサービスデータと該制御情報を受信した後、次の無線フレームのサブフレーム３においてＡＣＫ／ＮＡＣＫ情報をフィードバックする。又は、該指示情報がフィードバック位置のオフセット量を表することもでき、中継局は該オフセット量に基づいてフィードバック情報伝送用のサブフレーム位置を確定する。オフセット量は以下の幾つかの方法の中から一つを選択して確定することができる。
【００８４】
１）オフセット量は、該ダウンリンクサブフレームに対するオフセット量である。例えば、図６（ａ）を例にする。現在の無線フレームにおいて、サブフレーム９はダウンリンク中継サブフレームであって、該サブフレームにて中継局にサービスデータを送信すると共に、対応する制御情報にて指示するオフセット量が４であると、中継局は次の無線フレームのアップリンクサブフレーム３において対応するフィードバック情報ＡＣＫ／ＮＡＣＫを送信する。
【００８５】
２）オフセット量は中継サブフレームにおける、次のアップリンク中継サブフレームに対するオフセット量である。例えば、１ｂｉｔでオフセット量を表し、０でオフセットしていないことを表し、即ち、ダウンリンク中継サービスを伝送した後の次のアップリンク中継サブフレームにおいてフィードバックし、１は１アップリンク中継サブフレームの分オフセットしたことを表し、即ち、該ダウンリンクサービスを伝送する中継サブフレーム後の二番目のアップリンク中継サブフレームにおいてフィードバックする。サブフレームアップリンク／ダウンリンク配置２を例にし、例えば、図６（ｂ）に示すように、ｎ号とｎ＋１号の無線フレームのサブフレーム３、４、９がダウンリンク中継サブフレームとして配置され、サブフレーム７がアップリンク中継サブフレームである。４号のサブフレームと７号のサブフレームとの間の間隔が小さく、中継局はアップリンク中継サブフレーム７において送信する場合、ダウンリンクサブフレーム４にて受信したデータパケットの復号化、チェックなどの処理を行うことができないので、基地局がｎ号の無線フレームの４号のサブフレームにて中継局にサービスデータを送信する場合、同時に、フィードバックオフセット量を１にし、中継局は該オフセット指示情報を受信した後、該ダウンリンクサービス伝送用のサブフレーム後の二番目のアップリンク中継サブフレームにおいて対応するフィードバック情報を送信し、即ち、ｎ＋１号の無線フレームの７号のサブフレームにて中継局にフィードバック情報ＡＣＫ／ＮＡＣＫを送信する。
【００８６】
上記の様々なオフセット量指示方法において、オフセット量を確定する場合、アップリンク／ダウンリンク中継サブフレームの配置に基づいて確定しなければならない。
【００８７】
中継局による具体的なフィードバック伝送プロセスは以下の通りである。中継局がダウンリンク中継サブフレームにおける一つ又は複数において基地局からのサービスデータを受信した後、アップリンクフィードバック生成ブロックはデータのチェック結果に基づいて、対応するＡＣＫ又はＮＡＣＫ情報を生成し、受信したフィードバック伝送位置又はフィードバック伝送オフセット量の指示に応じてフィードバック情報伝送用のサブフレームを確定すると共に、伝送ブロックに指示する。アップリンクフィードバック情報伝送用のサブフレームにおいて、伝送ブロックは指示に応じて対応するＡＣＫ／ＮＡＣＫ情報を送信する。
【００８８】
中継局が１アップリンク中継サブフレームにおいて複数のＡＣＫ／ＮＡＣＫ情報をフィードバックする必要がある場合、中継局は、複数のＡＣＫ／ＮＡＣＫ情報のＡＮＤ演算結果をフィードバックするバンドルフィードバックモードを採用するか、または、複数のＡＣＫ／ＮＡＣＫ情報をフィードバックする多重化フィードバックモードを採用する。具体的なフィードバックモードは中継局と基地局との間に約定され、例えば、複数のＡＣＫ／ＮＡＣＫ情報をフィードバックする場合、多重化フィードバックモードを採用すると約定する、又は高層シグナリングを介して中継局に指示する。
【００８９】
実施例４
該実施例４において、一部のアップリンクサブフレームとダウンリンクサブフレームが基地局と中継局との間の通信用として配置される。
【００９０】
中継局がサブフレーム０、１、５、６においてＵＥに放送、コールなどのメッセージを送信する必要があるので、他のサブフレームは中継サブフレームとして配置されることができる。中継リンクのダウンリンクサービス伝送の対応するＡＣＫ／ＮＡＣＫフィードバック情報の伝送タイミング関係は、予め約定された基地局と中継局との間のアップリンクフィードバック情報の伝送タイミング関係に基づいて確定することができる。該実施例において、サブフレームアップリンク／ダウンリンク配置１を例にする（表１を参照）。
【００９１】
図７に示すように、ｎ号の無線フレームとｎ＋１号の無線フレームにおけるサブフレーム８とサブフレーム４、９がそれぞれアップリンク中継サブフレームとダウンリンク中継サブフレームとして配置されたとする。基地局がｎ号の無線フレームのサブフレーム４において中継局にサービスデータを送信した場合、サービスデータに対応するフィードバック情報ＡＣＫ／ＮＡＣＫを既存のＴＤＤ  ＬＴＥプロトコルに規定のフィードバックタイミング関係に従ってフィードバックし、即ち、ｎ号の無線フレームのアップリンク中継サブフレーム８においてフィードバックする。ダウンリンクサブフレーム９における中継リンクのサービスデータについて、既存のＴＤＤ  ＬＴＥプロトコルの規定に従ってフィードバックすると、対応するフィードバック情報はアップリンクサブフレーム３にてフィードバックされる。しかし、該実施例において、３号は普通のアップリンクサブフレームで、中継局はサブフレーム３においてユーザ機器からの信号を受信するので、同時に基地局から送信されるフィードバック情報ＡＣＫ／ＮＡＣＫを受信することができない。
【００９２】
従って、ｎ号の無線フレームのサブフレーム９における中継リンクのダウンリンクサービスデータの伝送について、対応するフィードバック情報ＡＣＫ／ＮＡＣＫをｎ＋１号の無線フレームのアップリンク中継サブフレーム８にてフィードバックする。該フィードバックタイミング関係は基地局と中継局との間で約定されたもので、他のシグナリンクによって指示する必要がない。ここでの約定したとは、フィードバック情報の伝送タイミング関係を関連する通信プロトコルに規定することである。基地局は中継サブフレーム配置情報を中継局に報知した後、中継局は配置状況と約定されたフィードバックタイミング関係に基づいて、ｎ＋１号の無線フレームのアップリンク中継サブフレーム８においてｎ号の無線フレームのサブフレーム９におけるダウンリンク中継リンクのサービスデータに対応するフィードバック情報ＡＣＫ／ＮＡＣＫを伝送すると確定する。
【００９３】
中継局による具体的なフィードバック伝送プロセスは、中継局がｎ号の無線フレームのダウンリンクサブフレーム４、９において基地局からのサービスデータを受信した後、アップリンクフィードバック情報生成ブロックはデータのチェック結果に基づいて、対応するＡＣＫ又はＮＡＣＫ情報を生成し、基地局と中継局との間で約定されたフィードバック情報の伝送タイミング関係によって、フィードバック情報伝送用のサブフレームをそれぞれｎ号とｎ＋１号の無線フレームのアップリンク中継サブフレーム８と確定し、伝送ブロックに指示する。ｎ号とｎ＋１号の無線フレームのサブフレーム８において、伝送ブロックは指示に応じて対応するＡＣＫ／ＮＡＣＫ情報を送信する。
【００９４】
中継局が１アップリンク中継サブフレームにおいて複数のＡＣＫ／ＮＡＣＫ情報をフィードバックする必要がある場合、中継局は、複数のＡＣＫ／ＮＡＣＫ情報のＡＮＤ演算結果をフィードバックするバンドル（ｂｕｎｄｌｉｎｇ）フィードバックモードを採用し、又は複数のＡＣＫ／ＮＡＣＫ情報をフィードバックする多重化（ｍｕｌｔｉｐｌｅｘｉｎｇ）フィードバックモードを採用する。具体的なフィードバックモードは、中継局と基地局との間で約定され、例えば、複数のＡＣＫ／ＮＡＣＫ情報をフィードバックする場合、多重化フィードバックモードを採用すると約定する、又は高層シグナリングを介して中継局に指示する。
【００９５】
実施例５
中継局がサブフレーム０、１、５、６においてＵＥに放送、コール、同期などの情報を送信する必要があるので、サブフレーム０、１，５、６を中継サブフレームとすることができない。しかし、サブフレームアップリンク／ダウンリンク配置０において、サブフレーム０、１、５、６以外は、基地局から中継局へのデータ伝送に利用可能なダウンリンクサブフレームがない。サブフレームアップリンク／ダウンリンク配置５において、アップリンクサブフレームが一つのみ存在し、中継局が当該サブフレームにおいてユーザ機器からのデータを受信しなければならないので、中継局から基地局へのデータ送信に利用可能なアップリンクリソースが存在しない。しかし、サブフレームアップリンク／ダウンリンク配置０において、特別サブフレームＳ（サブフレーム１、６）におけるＧＰ部分を基地局から中継局へのデータ送信用とすることができる。サブフレームアップリンク／ダウンリンク配置５において、特別サブフレームＳ（サブフレーム１）におけるＧＰ部分を中継局から基地局へのデータ送信用とすることができる。特別サブフレームＳの構成は図１ｂに示す通りである。
【００９６】
該実施例５において、それぞれ、サブフレームアップリンク／ダウンリンク配置０と５を例にして、本発明の実施例に係る発明を説明する。
【００９７】
サブフレームアップリンク／ダウンリンク配置０の場合、図８（ａ）に示すように、ｎ号とｎ＋１号の無線フレーム内に、サブフレーム１と６におけるＧＰ部分のリソースが基地局から中継局へのデータ送信用として配置され、サブフレーム３と８がアップリンク中継サブフレームとして配置され、ＤＬ−ＢとＵＬ−Ｂの意味は上記のと同じであり、ただ、該実施例において、ＤＬ−Ｂにおける中間の一部の符号のみが基地局から中継局へのデータ送信用である。このような中継サブフレーム配置の場合、ｎ号の無線フレームのサブフレーム１、６における中継リンクのダウンリンクサービスデータ伝送に対応するフィードバック情報はｎ号の無線フレームのアップリンク中継サブフレーム８とｎ＋１号の無線フレームのアップリンク中継サブフレーム３において伝送される。
【００９８】
サブフレームアップリンク／ダウンリンク配置５の場合、図８（ｂ）に示すように、ｎ号、ｎ＋１号、ｎ＋２号の無線フレーム内に、サブフレーム１におけるＧＰ部分のリソースが中継局から基地局へのデータ送信用として配置され、サブフレーム３、４と７がダウンリンク中継サブフレームとして配置され、ＤＬ−ＢとＵＬ−Ｂの意味は上記のと同じであって、ただ、該実施例において、ＵＬ−Ｂにおける中間の一部の符号のみが中継局から基地局へのデータ伝送用である。このようなサブフレーム配置方法において、ｎ号の無線フレームのサブフレーム３、４と７における中継リンクのダウンリンクサービスデータ伝送に対応するフィードバック情報はいずれもｎ＋１号の無線フレームのサブフレーム１において伝送される。
【００９９】
中継局による具体的なフィードバック伝送プロセスは、中継局が基地局からのサービスデータを受信した後、アップリンクフィードバック情報生成ブロックはデータのチェック結果に基づいて、対応するＡＣＫまたはＮＡＣＫ情報を生成し、基地局と中継局との間に約定されたフィードバック情報伝送タイミング関係、又は基地局により指示されたフィードバック情報伝送タイミング関係に応じて、フィードバック情報伝送用のサブフレーム番号を確定して伝送ブロックに指示する。確定されたアップリンクフィードバック情報送信用のサブフレームにおいて、伝送ブロックは指示に応じて対応するＡＣＫ／ＮＡＣＫ情報を送信する。
【０１００】
中継局が１アップリンク中継サブフレームにおいて複数のＡＣＫ／ＮＡＣＫ情報をフィードバックする必要がある場合、中継局は、複数のＡＣＫ／ＮＡＣＫ情報のＡＮＤ演算結果をフィードバックするバンドルフィードバックモード、又は、複数のＡＣＫ／ＮＡＣＫ情報をフィードバックする多重化フィードバックモードを採用する。具体的なフィードバックモードは、中継局と基地局との間に約定され、例えば、複数のＡＣＫ／ＮＡＣＫ情報をフィードバックする場合、多重化フィードバックモードを採用すると約定し、又は高層シグナリングを介して中継局に指示する。
【０１０１】
上記の実施例によると、中継局を含むＴＤＤ  ＬＴＥ−Ａシステムにおいて、中継リンクのダウンリンクサービスデータに対応するＡＣＫ／ＮＡＣＫ情報のフィードバック問題を解決し、基地局と中継局との間のダウンリンク通信の信頼性を向上し、該フィードバック情報の伝送によりユーザ機器に影響を与えることがない。
【０１０２】
装置実施例１
本発明の実施例によると、中継局を提供する。図９は、本発明の実施例に係る中継局の構造を示す図である。図９に示すように、該装置は、第１の確定ブロック９２と、第２の確定ブロック９４と、伝送ブロック９６と、を含む。以下、該構造を詳しく説明する。
【０１０３】
第１の確定ブロック９２は、中継サブフレーム配置に基づいて、アップリンクフィードバック情報を伝送するためのタイミング関係を確定する。第２の確定ブロック９４は、第１の確定ブロック９２に接続され、タイミング関係に基づいて、アップリンクフィードバック情報を伝送するためのアップリンク中継サブフレームを確定する。伝送ブロック９６は、第２の確定ブロック９４に接続され、アップリンク中継サブフレームを介してアップリンクフィードバック情報を伝送する。
【０１０４】
図１０は、本発明の実施例に係る中継局の具体的な構造を示すブロック図１である。図１０に示すように、第１の確定ブロック９２は取得サブブロック１０２と、第１の確定サブブロック１０４と、を含む。以下、該構造を詳しく説明する。
【０１０５】
取得サブブロック１０２は、中継サブフレーム配置を取得する。第１の確定サブブロック１０４は取得サブブロック１０２に接続され、取得した中継サブフレーム配置に基づいて、予め設定された対応関係からタイミング関係を確定し、その中、対応関係は、中継サブフレーム配置とアップリンクフィードバック情報の伝送タイミング関係との対応関係であり、または、対応関係は中継リンクのダウンリンクサービス伝送とアップリンクフィードバック情報伝送用のサブフレーム位置との間の対応関係である。
【０１０６】
図１１は、本発明の実施例に係る中継局の具体的な構造を示すブロック図２である。図１１に示すように、第１の確定ブロック９２は、基地局からのタイミング関係の指示シグナリングを受信する受信サブブロック１１２と、受信サブブロック１１２に接続され、受信サブブロック１１２から取得した指示シグナリングに基づいて具体的なアップリンクフィードバック情報伝送用のサブフレームを確定する第１の確定サブブロック１０４と、を含むことができる。
【０１０７】
上記中継局が、中継局が受信したダウンリンクサービスデータに基づいて、対応するＡＣＫ／ＮＡＣＫ情報（即ち、アップリンクフィードバック情報）を生成するアップリンク情報生成ブロックをさらに含むことが好ましい。
【０１０８】
上記伝送ブロック９６が、さらに、１アップリンク中継サブフレームにおいて複数のダウンリンクサービスのフィードバック情報をフィードバックする必要がある場合、予め約定された又は高層シグナリングを介して指示したフィードバックモードに従ってフィードバック情報を生成した後、バンドルフィードバックモード又は多重化フィードバックモードによって上記複数のアップリンクフィードバック情報を基地局に送信することが好ましい。
【０１０９】
装置実施例２
本発明の実施例によると、基地局を提供する。図１２は、本発明の実施例に係る基地局の構造を示すブロック図である。図１２に示すように、該基地局は、確定ブロック１２２と、送信ブロック１２４と、を含む。以下、該構造を詳しく説明する。
【０１１０】
確定ブロック１２２は、中継サブフレーム配置に基づいてタイミング関係を確定する。送信ブロック１２４は、確定ブロック１２２に接続され、中継局にタイミング関係を指示する指示情報を送信する。
【０１１１】
送信ブロック１２４が、ダウンリンク中継サブフレームを介して中継局にサービスデータを送信し、サービスデータに対応するダウンリンク制御情報に指示情報を携帯させることが好ましい。
【０１１２】
該基地局が、さらに、タイミング関係に基づいて確定したアップリンク中継サブフレームにおいてアップリンクフィードバック情報を受信する受信ブロック１２６を含むことが好ましい。
【０１１３】
指示情報は、アップリンクフィードバック情報を伝送するためのアップリンク中継サブフレームのサブフレーム番号であることができれば、該アップリンク中継サブフレームのオフセット量であることもできる。オフセット量とは、中継リンクのダウンリンクサービスデータ伝送用のサブフレームに対するフィードバック情報伝送用のサブフレームのオフセット量を指し、オフセット量は全てのサブフレームに対するオフセット量であって；又は、中継リンクのダウンリンクサービスデータ伝送用のサブフレームの後の一番目のアップリンク中継サブフレームに対するフィードバック情報伝送用のサブフレームのオフセット量を指し、オフセット量はアップリンク中継サブフレームに対するオフセット量である。
【０１１４】
上述のように、ＴＤＤ  ＬＴＥ−Ａシステムにおいて、本発明の上記実施例によると、中継サブフレームの配置によって中継リンクのアップリンクＡＣＫ／ＮＡＣＫフィードバック情報をＴＤＤ  ＬＴＥ  Ｒｅｌｅａｓｅ  ８プロトコルに規定されたＡＣＫ／ＮＡＣＫフィードバックタイミング関係に従って伝送できない場合、アップリンク中継サブフレームにおいて、新規のサブフレームを中継リンクのアップリンクフィードバック情報伝送用のサブフレームとして確定することによって、中継リンクにおけるアップリンクフィードバック情報の紛失を防止し、中継リンクのダウンリンクサービス伝送の信頼性を向上させることができる。
【０１１５】
当業者にとって、上述の本発明の各ブロック又は各ステップは共通の計算装置によって実現することができ、単独の計算装置に集中させることができれば、複数の計算装置から構成されるネットワークに分布させることもでき、さらに計算装置が実行可能なプログラムのコードによって実現することもできるので、それらを記憶装置に記憶させて計算装置によって実行することができ、又はそれぞれ集積回路ブロックに製作し、又はそれらにおける複数のブロック又はステップを単独の集積回路ブロックに製作して実現することができることは明らかなことである。このように、本発明は如何なる特定のハードウェアとソフトウェアの結合にも限定されない。
【０１１６】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【図１ａ】
0005635599.tif 000004
【図１ｂ】
0005635599.tif 000005
【図２】
0005635599.tif 000006
【図３】
0005635599.tif 000007
【図４】
0005635599.tif 000008
【図５（ａ）】
0005635599.tif 000009
【図５（ｂ）】
0005635599.tif 000010
【図５（ｃ）】
0005635599.tif 000011
【図６（ａ）】
0005635599.tif 000012
【図６（ｂ）】
0005635599.tif 000013
【図７】
0005635599.tif 000014
【図８（ａ）】
0005635599.tif 000015
【図８（ｂ）】
0005635599.tif 000016
【図９】
0005635599.tif 000017
【図１０】
0005635599.tif 000018
【図１１】
0005635599.tif 000019
【図１２】
0005635599.tif 000020